(57)【要約】【課題】制作工程がシンプルで大量生産が可能であり、よって生産コストを安価にし、各収納体は軽量かつ美麗な千羽鶴収納体ＣＳの提供と、これを用いたアルバムＡの提供である。【解決手段】千羽鶴収納体ＣＳは、折鶴Ｃ１及びＣ２を１シート内に合計３０羽収納する第１収納体１０と、折鶴Ｃ３を１シート内に１０羽収納する第２収納体２０とからなっている。アルバムＡは、表紙体１を構成する背表紙１ａ、オモテ表紙１ｂ及びウラ表紙１ｃと、見開き２、メッセージシート３、写真貼付シート４、千羽鶴収納体ＣＳ及び固定具又は綴じ具５とから構成されている。【選択図】図１
2012040856.tif 000002
【特許請求の範囲】
【請求項１】
慶祝、お見舞、激励等を目的として制作される首部、尾羽及び両翼を折り曲げない形状に折り畳まれた複数の折鶴を収納するための千羽鶴収納体であって、
前記千羽鶴収納体は、折鶴を１シート内に３０羽収納する第１収納体と、
折鶴を１シート内に１０羽収納する第２収納体とからなり、
前記第１収納体は、上部シートと下部シートからなり、当該下部シートに大なる折鶴収納部を２箇所形成すると共に、当該大なる折鶴収納部より小なる折鶴収納部を２８箇所形成してなり、
前記第２収納体は、上部シートと下部シートからなり、当該下部シートに少なくとも前記第１収納体の小なる折鶴収納部より大とし、かついずれもが同大の折鶴収納部を１０箇所形成してなり、
前記第１収納体及び第２収納体の各上部シートは、前記第１収納体及び第２収納体の各下部シートの上面部を閉塞すると共に、係止手段を介して着脱可能としている、
ことを特徴とする千羽鶴収納体。
【請求項２】
前記第１収納体及び第２収納体の各上部シート及び下部シートがポリスチレン系樹脂、ポリプロピレン系樹脂又はポリエチレン樹脂からなる透明な樹脂シートであり、
前記各下部シートに形成された折鶴収納部は、上面部を開口すると共に、下面部には前記折鶴を収納するための複数の浅底収納部を凹設している、
ことを特徴とする請求項１に記載の千羽鶴収納体。
【請求項３】
前記千羽鶴収納体は、第１収納体３３枚と第２収納体１枚の３４枚を１セットとして構成され、合計１０００羽の折鶴を収納する、
ことを特徴とする請求項１〜請求項２の何れかに記載の千羽鶴収納体。
【請求項４】
前記第１収納体及び第２収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としており、かつ各折鶴収納部の山形の下方には１羽〜１０００羽の通し番号が表示されている、
ことを特徴とする請求項１〜請求項３の何れかに記載の千羽鶴収納体。
【請求項５】
前記第１収納体及び第２収納体における各上部シートと各下部シートの係止手段は、当該上部シートと下部シートの接合面に複数配設された凸部と凹部からなる、
ことを特徴とする請求項１に記載の千羽鶴収納体。
【請求項６】
前記第１収納体及び第２収納体における各上部シートと各下部シートの一側にヒンジ部を介して綴じ代を延設すると共に、当該綴じ代の所定位置には複数のビス穴又は綴じ穴を穿設している、
ことを特徴とする請求項１〜請求項５の何れかに記載の千羽鶴収納体。
【請求項７】
前記第１収納体及び第２収納体における各上部シートと各下部シートは、Ａ４版又はＢ５版である、
ことを特徴とする請求項１〜請求項６の何れかに記載の千羽鶴収納体。
【請求項８】
慶祝、お見舞、激励等を目的として制作、贈呈される千羽鶴と写真等の一体型アルバムであって、背表紙、オモテ表紙及びウラ表紙からなる表紙体と、見開き、メッセージシート、写真貼付シート、千羽鶴収納体及び固定具又は綴じ具とから構成されている、
ことを特徴とする請求項１〜請求項７の何れかに記載の千羽鶴と写真等の一体型アルバム。
【請求項９】
前記表紙体における背表紙には千羽鶴の文字を表記すると共に、当該背表紙、前記オモテ表紙及びウラ表紙には１〜複数の鶴又は折鶴の図形が表示されるかあるいは刺繍されている、
ことを特徴とする請求項８に記載の千羽鶴と写真等の一体型アルバム。
【発明の詳細な説明】
【技術分野】
【０００１】本発明は、千羽鶴収納体及び千羽鶴と写真等の一体型アルバムに関し、より詳しくは、長寿、病気快癒等の慶び、願い又は励まし等を込めて制作して贈られ、千羽鶴を贈られた人が、千羽鶴収納体に美麗に収納された折鶴を随時見ることができると共にかつ、千羽鶴収納体の前頁又は後頁には千羽鶴贈呈者及び／又は被贈呈者の写真等を貼着することにより、当該被贈呈者は、慶びや病気快癒等の意欲を改めていや増すことができる。さらに全体重量を軽量とし、かつ長期間に亘り千羽鶴を美麗に保管することが可能な千羽鶴収納体及び千羽鶴と写真等の一体型アルバムに関する。
【背景技術】
【０００２】  中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。【０００３】  従来、折鶴は、折り紙を鶴に似せて所定の手順で制作されるものであり、折鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。そのほかに千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」又は「勇気」、「闘志」等が得られる。【０００４】  本願出願人による調査によれば、例えば、特許文献１の「折鶴作成方法」（第１頁、参照）、特許文献２の「三角形の紙で作る折鶴」（第１頁、参照）等の折鶴に関する先行技術文献が発見されたが、千羽鶴の制作及び折鶴を収納するアルバム帳ないし千羽鶴と写真等の一体型アルバム帳あるいは折鶴を収納する折鶴等収納台紙等に関連する先行技術文献は、検索されなかった。【０００５】  上述のように、従来の千羽鶴の制作は、１〜複数の人が折り紙を所定の手順で制作した折鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。【０００６】  しかしながら、上記、従来の千羽鶴の制作、折鶴の収納及び贈呈後の管理等には、以下のような欠点や問題点等がある。即ち、
（１）折り終った折鶴の数量が不明になり、たびたび数え直す必要があり、制作完了日を予測することが困難である。
（２）折鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に埃が付着しやすいので、長期の保存には適さない。また例えば、病気や怪我等が快癒した後の処理、収納等に困惑している。
（６）例えば、入院患者への千羽鶴について、折鶴の首、尾羽及び両翼は折らない方がよいとされている。等々が指摘されている。
そこで、本願発明者は、上記従来技術が有する各種問題点に鑑み、これらの問題点を解決するために鋭意検討を重ね、特許文献３を取得したものである。特許文献３の「千羽鶴収納ファイル及び折鶴用台紙」は、千羽鶴の被贈呈者が、折鶴用台紙内に美麗に配設された折鶴及び当該折鶴制作者の名前やメッセージ等を随時見ることができると共に、これにより被贈呈者は、「慶び」、「望み」、「勇気」又は「闘志」等が繰り返し得られる千羽鶴収納ファイルの提供という主な課題を解決することができた。
【先行技術文献】
【特許文献】
【０００７】
【特許文献１】特開２００４−２２９７３９号公報
【特許文献２】特開平９−２８５６５０号公報
【特許文献３】実用新案登録第３１５５７５４号公報
【発明の概要】
【発明が解決しようとする課題】
【０００８】しかしながら、特許文献３には以下のような不具合があることが判明した。すなわち、
（１）折鶴収納台紙の制作工程が複雑であり、コスト高になっている。
（２）アルバム全体の厚さ寸法が嵩高（約１１Ｃｍ以上）で、折鶴収納台紙の素材を厚紙としたとき、表紙体を含む全体重量がかなり重いものとなる。したがってその取り扱いが不便で、特に被贈呈者が高齢のときはきわめて不都合であることが判明した。本願発明者は、上記の不具合等を解消するために鋭意検討を重ねた結果、本願発明を完成したものである。そこで本願発明が解決しようとする、
（１）第１の課題は、製作工程がシンプルで大量生産が可能であり、よって生産コストを安価にし、各収納体は軽量かつ美麗な千羽鶴収納体を提供することにある。
（２）第２の課題は、制作された折鶴を折鶴収納部への収納作業が容易で、収納後の折鶴は、折鶴収納部内に安定して保持される千羽鶴収納体を提供することにある。
（３）第３の課題は、千羽鶴の被贈呈者による収納、長期保管が便利でかつ千羽鶴の閲覧に際し、見たいページを容易に開くことが可能な千羽鶴収納体の提供である。
（４）第４の課題は、慶祝、お見舞又は激励等の趣旨を被贈呈者に強く伝えることができると共にアルバム全体の厚さ寸法を薄厚とすると共に全体重量を軽量化し、その取り扱い、特に高齢な被贈呈者がアルバムの移動や閲覧が容易な千羽鶴と写真等の一体型アルバムを提供することにある。
【課題を解決するための手段】
【０００９】  課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書及び要約書等に記載の用語についての解釈上の疑義を解消すべく、以下に本発明の特許請求の範囲、明細書等に記載する用語の説明を行うこととする。
「千羽鶴収納体」とは、慶祝、お見舞又は激励等の目的で制作される千羽の折鶴を収納するための複数の樹脂シートの集合体をいう。１シートに３０箇所の折鶴収納部を平面状に凹設した下部シートとこれを閉塞する上部シートからなる第１収納体、１シートに１０箇所の折鶴収納部を平面状に凹設した下部シートとこれを閉塞する上部シートからなる第２収納体からなる。「上部シート又は下部シート」とは、ポリスチレン系樹脂、ポリプロピレン系樹脂又はポリエチレン樹脂からなる、厚さが１５μｍ〜３０μｍの透明な平板体をいう。
「折鶴収納部」とは、制作された折鶴を一羽毎に収納するための複数の凹部をいう。その外郭線形状は、上部を平面視鋭角状とした３の山部と２の谷部とし、下部を緩やかな山形として全体を王冠状に形成してなる。当該折鶴収納部の大きさは、制作される折鶴の大きさと同大又はやや大とされ、かつ折鶴は、その首部、尾羽及び両翼は、下向きに折曲しない平坦状に折り畳まれた態様で収納される。
「折鶴通し番号」とは、第１収納体及び第２収納体の折鶴収納部下部又は側部の表裏面に印刷又はシールが貼付された１羽〜１０００羽の連続番号をいう。
「綴じ代」とは、第１収納体及び第２収納体の一側にヒンジ部を介して設けられた上部シート及び下部シートの延設部をいう。
「千羽鶴と写真等の一体型アルバム」とは、慶祝、お見舞、激励等を目的として制作、贈呈される千羽鶴収納体に収納された千羽鶴と千羽鶴の被贈呈者及び折鶴制作者等関係者の写真を貼付する写真貼付シート等を固定又は綴じ込んでなるアルバムをいう。
「写真貼付シート」とは、千羽鶴等の被贈呈者及び当該折鶴制作者等関係者の写真を貼付する紙製又は樹脂製シートをいう。
「表面」とは、オモテ表紙側の面をいう。
「裏面」とは、ウラ表紙側の面をいう。
「表紙体」とは、背表紙、オモテ表紙及びウラ表紙全体の総称である。
「固定具」とは、見開き、メッセージシート、千羽鶴収納体及び写真貼付シート等を表紙体に固定するためのボルト、ナットをいう。金属又は硬質樹脂材等からなる。
「綴じ具」とは、見開き、メッセージシート、千羽鶴収納体及び写真貼付シート等を綴じ込むための器具をいう。金属又は硬質樹脂材からなり、背表紙の内面に装着される。
「被贈呈者」とは、千羽鶴と写真等の一体型アルバムを贈られる人をいう。例えば、喜寿、傘寿、米寿又は白寿等を迎える長寿者、病気や怪我等による入院患者又は高校野球、サッカー等のスポーツ大会に出場するチーム等である。
「贈呈者」とは、折鶴を制作し、千羽鶴と写真等の一体型アルバムを贈る１〜複数の人をいう。例えば、長寿を迎える人、入院患者又は大会出場チーム等の親族、友人、知己又は関係者等である。
＊＊＊＊＊＊＊＊＊＊＊＊＊＊＊＊＊＊＊＊＊＊＊＊＊＊＊＊＊＊＊＊＊＊＊＊＊＊＊【００１０】  上記の課題を解決するための第１の発明は、請求項１に記載の発明であり、慶祝、お見舞、激励等を目的として制作される首部、尾羽及び両翼を折り曲げない形状に折り畳まれた複数の折鶴を収納するための千羽鶴収納体であって、
前記千羽鶴収納体は、折鶴を１シート内に３０羽収納する第１収納体と、折鶴を１シート内に１０羽収納する第２収納体とからなり、前記第１収納体は、上部シートと下部シートからなり、当該下部シートに大なる折鶴収納部を２箇所形成すると共に、当該大なる折鶴収納部より小なる折鶴収納部を２８箇所形成してなり、前記第２収納体は、上部シートと下部シートからなり、当該下部シートに少なくとも前記第１収納体の小なる折鶴収納部より大とし、かついずれもが同大の折鶴収納部を１０箇所形成してなり、前記第１収納体及び第２収納体の各上部シートは、前記第１収納体及び第２収納体の各下部シートの上面部を閉塞すると共に、係止手段を介して着脱可能としている、ことを特徴としている。【００１１】  上記の課題を解決するための第２の発明は、請求項２に記載の発明であり、前記第１収納体及び第２収納体の各上部シート及び下部シートがポリスチレン系樹脂、ポリプロピレン系樹脂又はポリエチレン樹脂からなる透明な樹脂シートであり、前記各下部シートに形成された折鶴収納部は、上面部を開口すると共に、下面部には前記折鶴を収納するための複数の浅底収納部を凹設している、ことを特徴としている。【００１２】  上記の課題を解決するための第３の発明は、請求項３に記載の発明であり、前記千羽鶴収納体は、第１収納体３３枚と第２収納体１枚の３４枚を１セットとして構成され、合計１０００羽の折鶴を収納する、ことを特徴としている。【００１３】  上記の課題を解決するための第４の発明は、請求項４に記載の発明であり、前記第１収納体及び第２収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としており、かつ各折鶴収納部の山形の下方には１羽〜１０００羽の通し番号が表示されている、ことを特徴としている。【００１４】  上記の課題を解決するための第５の発明は、請求項５に記載の発明であり、前記第１収納体及び第２収納体における各上部シートと各下部シートの係止手段は、当該上部シートと下部シートの接合面に複数配設された凸部と凹部からなる、ことを特徴としている。【００１５】上記の課題を解決するための第６の発明は、請求項６に記載の発明であり、前記第１収納体及び第２収納体における各上部シートと各下部シートの一側にヒンジ部を介して綴じ代を延設すると共に、当該綴じ代の所定位置には複数のビス穴又は綴じ穴を穿設している、ことを特徴としている。【００１６】上記の課題を解決するための第７の発明は、請求項７に記載の発明であり、前記第１収納体及び第２収納体における各上部シートと各下部シートは、Ａ４版又はＢ５版である、ことを特徴としている。【００１７】上記の課題を解決するための第８の発明は、請求項８に記載の発明であり、慶祝、お見舞、激励等を目的として制作、贈呈される千羽鶴と写真等の一体型アルバムであって、背表紙、オモテ表紙及びウラ表紙からなる表紙体と、見開き、メッセージシート、写真貼付シート、千羽鶴収納体及び固定具又は綴じ具とから構成されている、ことを���徴としている。【００１８】上記の課題を解決するための第９の発明は、請求項９に記載の発明であり、前記表紙体における背表紙には千羽鶴の文字を表記すると共に、当該背表紙、前記オモテ表紙及びウラ表紙には１〜複数の鶴又は折鶴の図形が表示されるかあるいは刺繍されている、ことを特徴としている。
【発明の効果】
【００１９】  本発明に係る、千羽鶴収納体及び千羽鶴と写真等の一体型アルバムは、上記のような特徴的構成要件から構成され、特徴的構成要件に応じた、以下のような本願発明特有の効果を奏する。また、上記のような特徴的構成要件から構成された千羽鶴収納体及び千羽鶴と写真等の一体型アルバムによれば、本願発明の課題を十分解消することができた。すなわち、第１の発明によれば、「慶祝、お見舞、激励等を目的として制作される首部、尾羽及び両翼を折り曲げない形状に折り畳まれた複数の折鶴を収納するための千羽鶴収納体であって、前記千羽鶴収納体は、折鶴を１シート内に３０羽収納する第１収納体と、折鶴を１シート内に１０羽収納する第２収納体とからなり、前記第１収納体は、上部シートと下部シートからなり、当該下部シートに大なる折鶴収納部を２箇所形成すると共に、当該大なる折鶴収納部より小なる折鶴収納部を２８箇所形成してなり、前記第２収納体は、上部シートと下部シートからなり、当該下部シートに少なくとも前記第１収納体の小なる折鶴収納部より大とし、かついずれもが同大の折鶴収納部を１０箇所形成してなり、前記第１収納体及び第２収納体の各上部シートは、前記第１収納体及び第２収納体の各下部シートの上面部を閉塞すると共に、係止手段を介して着脱可能としている」という、当業界では想定困難な極めて特徴的構成要件により、
また第２の発明によれば、「前記第１収納体及び第２収納体の各上部シート及び下部シートがポリスチレン系樹脂、ポリプロピレン系樹脂又はポリエチレン樹脂からなる透明な樹脂シートであり、前記各下部シートに形成された折鶴収納部は、上面部を開口すると共に、下面部には前記折鶴を収納するための複数の浅底収納部を凹設している」という、特徴的構成要件により、
また第３の発明によれば、「前記千羽鶴収納体は、第１収納体３３枚と第２収納体１枚の３４枚を１セットとして構成され、合計１０００羽の折鶴を収納する」という、特徴的構成要件により、
また第４の発明によれば、「前記第１収納体及び第２収納体における折鶴収納部の外郭形状は、上部を平面視鋭角状とした３の山部と２の谷部とし、下部を緩やかな角度の山形として全体を王冠状に形成すると共に、その大きさは、首部、尾羽及び両翼を折り曲げない形状に折り畳まれた折鶴の外形とほぼ同大又はやや大としており、かつ各折鶴収納部の山形の下方には１羽〜１０００羽の通し番号が表示されている」という、極めて特徴的構成要件によって、
製作工程がシンプルで大量生産が可能であり、よって生産コストを安価にし、各収納体は軽量かつ美麗な千羽鶴収納体の提供という第１の課題を解決することができた。すなわち、第１収納体及び第２収納体は、ポリスチレン系樹脂シート等の軽量素材からなり、押型成型又は射出成型等の公知技術で生産することができるので、従来の厚紙製台紙より約１／３の重量とすることができた。また第１収納体及び第２収納体の折鶴収納部は、それぞれ順序良くかつ整然と配列され、かつ個々の収納部の形状は、王冠状をなしており、収納された折鶴の美麗さを倍加する効果等をも奏する。【００２０】第５の発明によれば、「前記第１収納体及び第２収納体における各上部シートと各下部シートの係止手段は、当該上部シートと下部シートの接合面に複数配設された凸部と凹部からなる」という、特徴的構成要件により、
また第６の発明によれば、「前記第１収納体及び第２収納体における各上部シートと各下部シートの一側にヒンジ部を介して綴じ代を延設すると共に、当該綴じ代の所定位置には複数のビス穴又は綴じ穴を穿設している」という、特徴的構成要件により、
制作された折鶴を制作者が折鶴収納部への収納作業が容易で、収納後の折鶴は、折鶴収納部内に安定して保持される千羽鶴収納体の提供という第２の課題を解決することができた。【００２１】第７の発明によれば、「前記第１収納体及び第２収納体における各上部シートと各下部シートは、Ａ４版又はＢ５版である」という、特徴的構成要件により、
千羽鶴の被贈呈者による収納、長期保管が便利でかつ千羽鶴の閲覧に際し、見たいページを容易に開くことが可能な千羽鶴収納体の提供という第３の課題を解決することができた。【００２２】第８の発明によれば、「慶祝、お見舞、激励等を目的として制作、贈呈される千羽鶴と写真等の一体型アルバムであって、背表紙、オモテ表紙及びウラ表紙からなる表紙体と、見開き、メッセージシート、写真貼付シート、千羽鶴収納体及び固定具又は綴じ具とから構成されている」という、特徴的構成要件により、
また第９の発明によれば、「前記表紙体における背表紙には千羽鶴の文字を表記すると共に、当該背表紙、前記オモテ表紙及びウラ表紙には１〜複数の鶴又は折鶴の図形が表示されるかあるいは刺繍されている」という、特徴的構成要件により、
慶祝、お見舞又は激励等の趣旨を被贈呈者に強く伝えることができると共にアルバム全体の厚さ寸法を薄厚とすると共に全体重量を軽量化し、その取り扱い、特に高齢な被贈呈者がアルバムの移動や閲覧が容易な千羽鶴と写真等の一体型アルバムの提供という第４の課題を解決することができた。
【図面の簡単な説明】
【００２３】
【図１】は、本発明に係る、３０羽の折鶴を収納する折鶴収納部を形成したＡ４判千羽鶴収納体における第１収納体の下部シートの平面図である。
【図２】は、同１０羽の折鶴を収納する折鶴収納部を形成したＡ４判千羽鶴収納体における第２収納体の下部シートの平面図である。
【図３】（ａ）、（ｂ）は、第１収納体の折鶴収納部に収納される折鶴の平面図である。
【図４】は、第２収納体の折鶴収納部に収納される折鶴の平面図である。
【図５】は、第１収納体及び第２収納体の上部シートの底面図である。
【図６】は、図１の下部シートにおける折鶴収納部に折鶴を収納した状態の６−６線拡大断面図である。
【図７】は、図１における下部シートに上部シートを係止した状態を示す７−７線拡大断面図である。
【図８】（ａ）は、本発明に係る、千羽鶴収納体を用いた千羽鶴と写真等の一体型アルバムの全体を示す斜視図、（ｂ）は、図８（ａ）における一部省略平面図である。
【図９】は、千羽鶴と写真等の一体型アルバムの背表紙、オモテ表紙及びウラ表紙に貼付されるカバーの展開図である。
【図１０】は、同見開きの平面図である。
【図１１】は、同見開きの使用態様を示す斜視図である。
【図１２】は、同メッセージシートの平面図である。
【図１３】は、同写真貼付シートの平面図である。
【図１４】は、同見開き及び／又はメッセージシートに貼付されるシールの一例を示す平面図である。
【発明を実施するための形態】
【００２４】  以下、本発明に係る、千羽鶴収納体及び千羽鶴と写真等の一体型アルバムの一実施形態について、図面を参照して詳細に説明する。図１〜図７は、千羽鶴収納体の構造について図示している。千羽鶴収納体ＣＳは、折鶴Ｃ１及びＣ２（図３（ａ）、（ｂ）、参照）を１シート内に合計３０羽収納する第１収納体１０と、折鶴Ｃ３（図４、参照）を１シート内に１０羽収納する第２収納体２０とからなっている。第１収納体１０は、上部シート１１（図５、参照）と下部シート１２（図１、参照）からなり、下部シート１２には、図１に示すように、左上隅と右下隅に大なる折鶴収納部（以下、大収納部１２ａという）を２箇所、その大収納部１２ａ、１２ａの左右上下には、小なる折鶴収納部（以下、小収納部１２ｂという）が２８箇所、順序良くかつ整然と形成されている。左上隅の大収納部１２ａから右下隅の大収納部１２ａまでの各収納部の下部表裏面には、１羽〜３０羽の通し番号Ｎが表示されている。図１の下部シート１２と図５の上部シート１１からなる第１収納体１０は、千羽鶴収納体ＣＳの１ページ目であり、２ページ〜３３ページ（不図示）は、１ページ目と同じ構造で、それぞれのページに３０羽毎に、３１羽〜９９０羽の通し番号Ｎが表示され、大収納部１２ａ、１２ａ及び小収納部１２ｂ、１２ｂ・・・は、上面部を開口すると共に、下面部には折鶴Ｃ１及びＣ２を収納するための浅底収納部１２ｃ、１２ｄが凹設されている。各収納部の通し番号Ｎは、下部シート１２の所定位置に印刷されるか又は予め用意された番号シールが貼付される。１０ｈはヒンジ部、１０ｊは綴じ代、１０ｋはビス穴又は綴じ穴である。
【００２５】第２収納体２０は、図５に示す上部シート２１と図２に示す下部シート２２からなり、下部シート２２には、第１収納体１０の小収納部１２ｂより大で、かついずれもが同大の折鶴収納部（以下、中収納部２２ａという）が１０箇所形成されている。下部シート２２の左上隅と右下隅にはメッセージ等記入欄Ｍ、Ｍが設けられている。メッセージ等記入欄Ｍ、Ｍの左右上下には、中収納部２２ａ、２２ａ、・・・が順序良くかつ整然と形成されている。シート上段の中収納部２２ａからシート下段の中収納部２２ａまでの各収納部の側面には、９９１羽〜１０００羽の通し番号Ｎが表示されている。中収納部２２ａ、２２ａ、・・・は、上面部を開口すると共に、下面部には折鶴Ｃ３を収納するための浅底収納部２２ｂが凹設されている。第２収納体２２は、千羽鶴収納体ＣＳの最終ページとなる。なおメッセージ等記入欄Ｍ、Ｍは、空欄として、千羽鶴の被贈呈者が好む絵柄又はハート図形等の装飾シールを貼付することもできる。２０ｈはヒンジ部、２０ｊは綴じ代、２０ｋはビス穴又は綴じ穴である。
【００２６】第１収納体１０の下部シート１２に形成される大収納部１２ａ、１２ａ、小収納部１２ｂ、１２ｂ・・・及び第２収納体２０の下部シート２２に形成される中収納部２２ａ、２２ａ、・・・の外郭形状は、上部を平面視鋭角状とした３箇所の山部Ｍ１と２箇所の谷部Ｖとし、下部を緩やかな角度の山形Ｍ２として全体を王冠状に形成している。第１収納体１０及び第２収納体２０は、いずれもポリスチレン系樹脂、ポリプロピレン系樹脂又はポリエチレン樹脂等の透明な合成樹脂シートを素材とし、公知技術の押出成型又は射出成型等によって製作される。
【００２７】図３（ａ）は、第１収納体１０の大収納部１２ａに収納される折鶴Ｃ１の形状を示し、図示するように首部Ｃ１ａ、尾羽Ｃ１ｂ及び両翼Ｃ１ｃを折り曲げない形状に折り畳まれ、外形の大きさは、大収納部１２ａとほぼ同大とされている。図３（ｂ）は、第１収納体１０の小収納部１２ｂに収納される折鶴Ｃ２の形状を示し、図示するように首部Ｃ２ａ、尾羽Ｃ２ｂ及び両翼Ｃ２ｃを折り曲げない形状に折り畳まれ、外形の大きさは、小収納部１２ｂとほぼ同大とされている。
【００２８】図４は、第２収納体２０の中収納部２２ａに収納される折鶴Ｃ３の形状を示し、図示するように首部Ｃ３ａ、尾羽Ｃ３ｂ及び両翼Ｃ３ｃを折り曲げない形状に折り畳まれ、外形の大きさは、中収納部２２ａとほぼ同大とされている。
【００２９】図５は、第１収納体１０の下部シート１２及び第２収納体２０の下部シート２２に使用される上部シート１１及び２１の底面図を示している。上部シート１１及び２１は、下部シート１２、２２と同素材で、公知技術の押出成型又は射出成型等によって製作される。ＳＴは、上部シート１１及び２１の下面部の所定位置に設けられた凸部であり、図１及び図２に示す下部シート１２及び２２の上面部の所定位置に設けられた凹部ＳＯと対応するもので、折鶴Ｃ１、Ｃ２、Ｃ３が、それぞれの下部シート１２、２２の大収納部１２ａ、小収納部１２ｂ、中収納部２２ａに収納された後、上部シート１１及び２１と下部シート１２及び２２は、凸部ＳＴを凹部ＳＯに押圧して係止される。
【００３０】図６は、図１に示す下部シート１２の大収納部１２ａに折鶴Ｃ１を収納した状態の断面図である。図示するように折鶴Ｃ１は、大収納部１２ａの浅底収納部１２ｃと周壁内にほぼ隙間なく収納され、大収納部１２ａの上面開口部は、上部シート１１によって閉塞され、図７に示すように、凸部ＳＴと凹部ＳＯによって係止された状態となり、折鶴Ｃ１が大収納部１２ａから脱落、紛失することを防止できる。また大収納部１２ａ内に塵埃等が侵入することがなく、折鶴Ｃ１は長期に亘って美麗に保管することができる。図６におけるｈは、折鶴Ｃ１が収納された状態における、第１収納体１０の厚さ寸法を示し、約１ｍｍ〜１．５ｍｍとされている。
【００３１】図８（ａ）は、本発明に係る、千羽鶴収納体ＣＳを用いた千羽鶴と写真等の一体型アルバムの全体を示す斜視図であり、千羽鶴と写真等の一体型アルバム（以下、アルバムＡという）は、表紙体１を構成する背表紙１ａ、オモテ表紙１ｂ及びウラ表紙１ｃと、見開き２、メッセージシート３、写真貼付シート４、千羽鶴収納体ＣＳ及び固定具又は綴じ具５とから構成されている。図８（ｂ）は、当該アルバムＡの一構成を示している。見開き２、メッセージシート３、千羽鶴収納体ＣＳ、写真貼付シート４等の配設位置ないし綴じ込み順序等は、本実施形態にこだわるものではない。
【００３２】図９は、アルバムＡの背表紙１ａ、オモテ表紙１ｂ及びウラ表紙１ｃに貼付される多数の折鶴の図形７入りのカバー体で、紙、布地又は合成樹脂材等からなっている。多数の折鶴の図形７は、例えば赤色折鶴と白色折鶴と交互に配列することができる。もしくは赤色に替えて金色折鶴とし、白色に替えて銀色折鶴とすることもできる。赤色、白色、金色及び銀色の折鶴図形７は、慶祝の趣をより強くすることができる。６は千羽鶴の文字で千羽の折鶴と写真等の一体型アルバムＡであることを示している。１ｄは折曲線である。
【００３３】図１０及び図１１は、見開き２とその使用態様を示し、見開き２の上段には、被贈呈者の氏名又はチーム名等の記入欄２ａが設けられている。記入欄２ａの下には、例えば、千羽鶴贈呈の趣旨を表す「祝米寿」等のシール８（図１４参照）を貼付する趣旨表示欄２ｂが設けられ、見開き２のほぼ中央には折鶴の大きな図形７が表示されている。また下段には千羽鶴贈呈者からのメッセージ欄２ｃが設けられている。固定具５は、見開き２、メッセージシート３、写真貼付シート４及び第１収納体１０と第２収納体２０からなる千羽鶴収納体ＣＳ等を表紙体１に固定するためのものであり、各種の固定具５が選択されるが、例えばボルト、ナットによるビス止め方式が好ましい。５ａはビス穴で、２ｄはヒンジ部である。
【００３４】図１２は、メッセージシート３を示し、その四周縁には多数の折鶴の図形７を表示している。メッセージシート３の上段にはメッセージ３ａが記載され、中央には折鶴制作者から被贈呈者へのイラスト、寄せ書きやメッセージが記入される。３ｂはヒンジ部である。図１３は、写真貼付シート４を示している。Ｐｈ１は、例えば米寿を迎える被贈呈者の写真で、Ｐｈ２は、被贈呈者の親族又は町内会等の友人、知己達の写真である。４ａはヒンジ部で、Ｆは樹脂フィルムで、写真Ｐｈ１、Ｐｈ２の表面を保護するために貼付される。図１４は、アルバムＡにおける見開き２又はメッセージシート３に貼付されるシール８の一例を示し、折鶴制作者は、千羽鶴等を贈呈する趣旨に適するシール８を選び、台紙から剥離して、見開き２又はメッセージシート３に貼付して使用される。８ａはヒンジ部である。
【００３５】以上は、主として本発明に係る、千羽鶴収納体ＣＳ及び千羽鶴と写真等の一体型アルバムＡについて、Ａ４判を中心に説明したが、Ｂ５版にも適用することができるものである。
【符号の説明】
【００３６】Ｃ１、Ｃ２、Ｃ３          折鶴
ＣＳ                      千羽鶴収納体
１０                      第１収納体
２０                      第２収納体
１１、２１                上部シート
１２、２２                下部シート
１２ａ                    大収納部
１２ｂ                    小収納部
１２ｃ                    浅底収納部
１２ｄ                    浅底収納部
２２ａ                    中収納部
Ｎ                        通し番号
Ｍ                        メッセージ等記入欄
ＳＴ                      凸部
ＳＯ                      凹部
１０ｈ                    ヒンジ部
１０ｊ                    綴じ代
１０ｋ                    ビス穴又は綴じ穴
Ａ                        アルバム
１                        表紙体
１ａ                      背表紙
１ｂ                      オモテ表紙
１ｃ                      ウラ表紙
２                        見開き
２ａ                      記入欄
２ｂ                      趣旨表示欄
２ｃ                      メッセージ欄
３                        メッセージシート
３ａ                      メッセージ
４                        写真貼付シート
５                        固定具又は綴じ具
６                        文字
７                        図形
８                        シール
【図１】
2012040856.tif 000003
【図２】
2012040856.tif 000004
【図３】
2012040856.tif 000005
【図４】
2012040856.tif 000006
【図５】
2012040856.tif 000007
【図６】
2012040856.tif 000008
【図７】
2012040856.tif 000009
【図８】
2012040856.tif 000010
【図９】
2012040856.tif 000011
【図１０】
2012040856.tif 000012
【図１１】
2012040856.tif 000013
【図１２】
2012040856.tif 000014
【図１３】
2012040856.tif 000015
【図１４】
2012040856.tif 000016